(57)【要約】    【課題】  締付具をねじ込むことにより取付部に取付固定された水栓本体が、取付後においてウォーターハンマや水栓本体のハンドル操作による応力などの影響を受けず取付部に確実に固定された状態を保持できる給水栓の取付構造を提供すること。    【解決手段】  ナット部材５０の座金３２側には、その先端に、座金３２側に当接される雄型テーパ部５８を形成するとともに、先端開口部に連設されナット部材５０の軸心方向に沿って切り欠き６０を形成し、ナット部材５０と座金３２との間には、雌型テーパ部４９を形成したガイド部材４０を介在させた。    【選択図】    図２
2006009395.tif 000002
【特許請求の範囲】
【請求項１】
水栓本体の底面から水栓固定取付用のねじ軸が突設された水栓をカウンターなどの取付部に取り付ける構造であって、該取付部に設けられた水栓取付孔に該ねじ軸が挿入され、該ねじ軸が挿通されるねじ軸挿通孔を有した座金が、該ねじ軸挿通孔に該ねじ軸を挿通させて該カウンターの下側に配置され、該ねじ軸に締め込まれたナット部材によって該座金が該カウンターの下側の水栓取付孔の縁部に押しつけられ、前記水栓本体下部と前記座金とが協働して前記水栓取付孔の縁部を挟み込むことにより前記水栓本体を前記取付部に取付固定する給水栓の取付構造において、
該ナット部材の座金側には、その先端に、前記座金側に当接される雄型テーパ部が形成されるとともに、先端開口部に連設され該ナット部材の軸心方向に沿って形成された切り欠きが設けられたことを特徴とする給水栓の取付構造。
【請求項２】
前記座金と前記ナット部材との間に、前記座金と互いに係合しかつ回動可能に保持し合う円筒状のガイド部材を介在させたことを特徴とする請求項１に記載の給水栓の取付構造。
【請求項３】
前記ガイド部材内側に前記ナット部材の雄型テーパ部と面接触する雌型テーパ部を形成したことを特徴とする請求項１又は請求項２に記載の給水栓の取付構造。
【発明の詳細な説明】
【技術分野】
【０００１】
本発明は、水栓本体の底面から水栓固定取付用のねじ軸が突設された水栓をカウンターなどの取付部に取り付ける給水栓の取付構造に関する。
【背景技術】
【０００２】
従来、水栓本体の底面から水栓固定取付用のねじ軸が突設され、カウンターなどの取付部に開口された水栓取付孔にその一部が挿通されて、取付部裏側に引き回された配管類が接続されるとともに取付部に取付固定される種々の給水栓が知られている。このような給水栓では、ねじ軸に取付部の裏側から締付具を螺合して、この締付具と水栓本体の下部とによって取付部を協働して挟持することにより、水栓本体を取付部に取り付ける取付構造が用いられている。より具体的には、例えば、水栓本体の下部から突設されたボルト周りに水栓取付孔の内径よりも大きな馬蹄形状の座金を取り付け、締付具（ナットなど）をねじ込んで座金を取付部下面に押しつけ、座金と水栓本体の下面とによって取付部を挟持することにより水栓本体を取付部に取付固定するものがある（例えば、特許文献１参照。）。
【０００３】
【特許文献１】特開平８−２４６５２１号公報（図１）。
【発明の開示】
【発明が解決しようとする課題】
【０００４】
しかしながら、従来の給水栓の取付構造では、締付具によって水栓本体を取付部に取り付けた後に、ウォーターハンマや水栓本体のハンドル操作による応力によって締付具のねじが徐々に緩んでしまい水栓本体ががたつきを生じるなど、取付後に水栓本体の取付が不完全となってしまうという問題があった。また、締付具は取付部裏側から締め付けられているために、ユーザ自身が増し締めなどを行うことは困難であるため専門業者に増し締め作業を依頼する必要があるなどの問題も生じていた。
【０００５】
本発明は上記した従来の給水栓の問題点を解消するものであり、締付具をねじ込むことにより取付部に取付固定された水栓本体が、取付後においてウォーターハンマや水栓本体のハンドル操作による応力などの影響を受けず取付部に確実に固定された状態を保持できる給水栓の取付構造を提供することを目的とする。
【課題を解決するための手段】
【０００６】
以上の課題を解決するために、本発明の採った手段を以下に説明する。本発明の給水栓の取付構造は、水栓本体の底面から水栓固定取付用のねじ軸が突設された水栓をカウンターなどの取付部に取り付ける構造であって、該取付部に設けられた水栓取付孔に該ねじ軸が挿入され、該ねじ軸が挿通されるねじ軸挿通孔を有した座金が、該ねじ軸挿通孔に該ねじ軸を挿通させて該カウンターの下側に配置され、該ねじ軸に締め込まれたナット部材によって該座金が該カウンターの下側の水栓取付孔の縁部に押しつけられ、前記水栓本体下部と前記座金とが協働して前記水栓取付孔の縁部を挟み込むことにより前記水栓本体を前記取付部に取付固定する給水栓の取付構造において、該ナット部材の座金側には、その先端に、前記座金側に当接される雄型テーパ部が形成されるとともに、先端開口部に連設され該ナット部材の軸心方向に沿って形成された切り欠きが設けられたことを特徴とするものである（請求項１）。
【０００７】
ナット部材の座金側に、ナット部材の先端の全体形状が先細となるような雄型テーパ部を形成することにより、ナット部材を締め付けテーパ部が座金側に当接された際にナット部材の先端が内側に押される。ナット部材の先端には切り欠きが形成されているので、この切り欠きの幅が狭まるようにしてナット部材先端の開口部が内側に縮径して、ねじ軸への螺着具合が強まる。よって、座金やナット部材によって水栓本体を取付部に設置固定した後にも、振動などによるナット部材の緩みを防止することができる。また、ナット部材が座金側に当接されナット部材の先端が撓み始めるまでは開口部は縮径しないので、ねじ軸への締め付け作業は通常通り円滑に行うことができ、ナット部材の締め付け作業に支障を及ぼすおそれもない。
【０００８】
本発明においてナット部材に形成される切り欠きは、ナット部材の撓み強度やねじ軸への螺着具合を基準にして、種々の形状、数とすることができ、特に限定されるものではない。また、その形成方法も限定されるものではない。
【０００９】
また上記した給水栓の取付構造において、前記座金と前記ナット部材との間に、前記座金と互いに係合しかつ回動可能に保持し合う円筒状のガイド部材を介在させることとしても良い（請求項２）。
【００１０】
ナット部材の雄型テーパ部が当接されるガイド部材を介在させることにより、雄型テーパ部が形成されたナット部材の先端がより円滑に縮径するようにすることができる。また、汎用の座金を利用することも容易になる。
【００１１】
また上記した給水栓の取付構造において、前記ガイド部材内側に前記ナット部材の雄型テーパ部と面接触する雌型テーパ部を形成することとしても良い（請求項３）。
【００１２】
ナット部材の雄型テーパ部と当接する部位において、雄型テーパ部と面接触する雌型テーパ部を形成することにより、ナット部材の縮径が円滑に行われるのでナット部材の締め付け作業をより円滑に行うことができる。
【発明の効果】
【００１３】
本発明は上記のように構成されることにより、水栓本体の取付後にも、振動などによりナット部材が緩むことを防止できるので、水栓本体のがたつきを防止でき、メンテナンスを容易にすることができる。また、特に請求項３の発明では、ナット部材の締め付け作業を円滑にすることもできる。
【発明を実施するための最良の形態】
【００１４】
次に、本発明の給水栓の取付構造の実施の形態を図を参考にして詳細に説明する。図１に示すように、本給水栓の取付構造３０は、キッチンのカウンターＵなどの「取付部」に湯水混合水栓１の水栓本体２を取付固定するものである。水栓本体２はほぼ円筒状の全体形状に形成されており、その上部には、外部から供給される湯・水を混合して吐止水及び吐水量調節を行うための操作ハンドルが取り付けられている。また、水栓本体２の側面からは、吐水を吐出する吐水口３が斜め上方に突設されている。そして、水栓本体２の下部には、本体部４よりも小径に形成され、カウンターＵに開口された水栓取付孔Ｗに挿通可能な挿通部５が形成されている。一方、本体部４は水栓取付孔Ｗよりも大径に形成されており、挿通部５のみが水栓取付孔Ｗに挿通され、本体部４下面が水栓取付孔Ｗの上側縁部に載置されるように形成されている。
【００１５】
挿通部５には、後述するナット部材５０がねじ込まれるねじ軸６が下方に向けて突設されている。また、挿通部５には、ねじ軸６と平行に給水サプライ管７及び給湯サプライ管８が併設して突設されている。これらの給水サプライ管７、給湯サプライ管８には、給水ホース９、給湯ホース１０が各々接続されている。
【００１６】
座金３２は、図１に示すように、平面視がほぼＵ字状の馬蹄形状に形成されている。図２及び図３にも示すように、座金３２の平面視の内側には同じくほぼＵ字状に下方に向けて凹設された凹部３４が形成されている。この凹部３４の中央には、ねじ軸６を挿通するためのねじ軸挿通孔３６が穿設されている。また、ねじ軸挿通孔３６の両側には、ねじ軸６に取り付けられた際に給水サプライ管５及び給湯サプライ管６を抱きかかえるように保持する腕部３８，３９が延設されている。そして、座金３２の上端には、その外径に沿って、水栓取付孔Ｗの縁部に当接される当接縁部３７が形成されている。
【００１７】
この座金３２の下方には金属製のガイド部材４０が取り付けられている。ガイド部材４０はほぼ円筒形状に全体が形成されており、その内部にねじ軸６を挿通可能に設けられている。ガイド部材４０は、本体部４２と本体部４２の軸心方向一端側に連設され、座金３２のねじ軸挿通孔３６に挿嵌される外径に形成された挿嵌円筒部４４が設けられている。また、挿嵌円筒部４４の内径は、ねじ軸６より僅かに大径に形成され、ねじ軸６が挿嵌円筒部４４内周面に沿って挿通されるように形成されている。本例では、挿嵌円筒部４４の外径は１０．５ｍｍ、内径は９．５ｍｍに形成されている。
【００１８】
本体部４２は、その外径が挿嵌円筒部４４よりも大径の１８ｍｍに形成されており、図２に示すように、挿嵌円筒部４４側の段部４３が座金３２のねじ軸挿通孔３６の縁部に当接するように設けられ、挿嵌円筒部４４をねじ軸挿通孔３６に挿通した際に、座金３２に対するガイド部材４０の位置決めが行えるように設けられている。
【００１９】
挿嵌円筒部４４側と反対側の本体部４２には、後述するナット部材５０が挿嵌される開口部４６が開設されている。開口部４６は、上記した挿嵌円筒部４４内に連通されており、また、ナット部材５０の外径より僅かに小径に形成されている。開口部４６の開口端部内側には、開口部４６の内方に向けて突設される係合爪４８が周設されている。後述するように、この係合爪４８は、ナット部材５０の外周面に周設された係合突条５６に係合される。係合爪４８が形成される開口側部４１は、その周方向に沿って、本体部４２の奥端側部４７よりも若干肉薄に形成されており、ナット部材５０の係合突条５６を係合爪４８が乗り越える際に若干開口部外方に撓み、係合作業が円滑に行われるように形成されている。本例では、開口側部４１の内径は１４．５ｍｍ、奥端側部４７の内径は１３．８ｍｍに形成され、係合爪４８は、開口側部４１内周面から０．７ｍｍの高さに形成され、その奥端部は開口部４６の奥端から６．５ｍｍの位置に設けられている。
【００２０】
開口部４６の奥端には、開口部４６の内壁から開口部４６内方に向けて雌型テーパ部４９が全周に渡って形成されており、開口部４６の奥端全体が挿嵌円筒部４４への連通口４５にかけてすり鉢状に形成されている。この雌型テーパ部４９の傾斜角は、本例では、連通口４５に対して６０度とされている。
【００２１】
金属製のナット部材５０は、図１乃至図４に示すように、横断面が六角形の長筒状に形成されている。また、その内周面には雌ねじ５２が刻設されており、水栓本体２のねじ軸６に螺合されるように構成されている。
【００２２】
ナット部材５０の軸心方向一端寄りには、他端寄りの部位より小径の外径となる円筒状の小径部５４が形成されている。この小径部５４の外周面には、上記したガイド部材４０の係合爪４８が係合する係合突条５６が周設されている。係合突条５６の外径は、周設された係合爪４８の内径よりも僅かに大きく（本例では０．１ｍｍ大きく）形成されており、ナット部材５０がガイド部材４０に挿入される際に、係合爪４８に対して干渉圧入されるように設けられている。また、係合突条５６は、図２に示すように、ナット部材５０がガイド部材４０の開口部４６奥端の所定位置まで挿入された際に係合爪４８が係合する位置に形成されている。本例では、小径部５４の外径は１３．５ｍｍに、内径は９．５ｍｍに形成され、係合突条５６の下端部は、ナット部材５０の一端側開口端面から６．５ｍｍの位置に形成されている。
【００２３】
また、小径部５４が設けられた側のナット部材５０の一端外周面には、ナット部材５０の一端側先端にかけてナット部材５０軸心に向けて雄型テーパ部５８が全周に渡って形成されており、ナット部材５０の一端が先細の形状に形成されている。この雄型テーパ部５８の傾斜角は、本例では、ナット部材５０の一端側開口面に対して６０度とされている。
【００２４】
そして、ナット部材５０の雄型テーパ部５８が設けられた側には、ナット部材５０の軸心を挟んだ対向する位置に、切り欠き６０がそれぞれ設けられている。切り欠き６０は、ナット部材５０の一端側開口部から他端側方向に矩形状に形成されており、本例では、ナット部材５０の軸心に沿って長さ１５ｍｍ、幅２ｍｍに形成されている。
【００２５】
カウンターＵの水栓取付孔Ｗに湯水混合水栓１を取り付けるには、上記のように構成された給水栓の取付構造３０によって、以下のように取り付ける。図１に示すように、まず、カウンターＵ裏側に引き回された給水ホース９、給湯ホース１０を水栓取付孔ＷからカウンターＵ上方に引き出して、給水サプライ管７、給湯サプライ管８にそれぞれ接続する。次いで、水栓本体２の挿通部５を水栓取付孔Ｗに挿通して、本体部４をカウンターＵ上に載置する。また、座金３２にガイド部材４０を取り付ける。図３のように座金３２のねじ軸挿通孔３６にガイド部材４０の挿嵌円筒部４４を挿嵌させた後、図２に示すように、座金３２の上部側から挿嵌円筒部４４の開口端部をカシメて座金３２からのガイド部材４０の抜け落ちを防止して一体化する。ついで、このように一体化された、座金３２及びガイド部材４０を、カウンターＵ裏側に配置されたねじ軸６に挿通する。そしてさらに、ナット部材５０をねじ軸６にねじ込んで、座金３２をカウンターＵ裏側に圧着させる。
【００２６】
ナット部材５０をねじ軸６にねじ込んでいくと、ナット部材５０の小径部５４は、ガイド部材４０の開口部４６内に挿入され、小径部５４の先端が開口部４６の奥端に至ると、ガイド部材５０の雄型テーパ部５８とナット部材４０の雌型テーパ部４９とが面接触し、ガイド部材４０及び座金３２をカウンターＵに向けて押し上げていく。そして、座金３２の当接縁部３７が水栓取付孔Ｗ縁部に当接され、さらにガイド部材５０をねじ込むと、切り欠き６０の先端の幅が狭まるようにして小径部５４先端が雌型テーパ部４９に沿って縮径するように撓みナット部材５０のねじ軸６へ螺着を強固にする。このように、座金３２がカウンターＵ裏側に圧着される位置において、ナット部材５０のねじ軸６が緩み難く設けることにより、設置後にナット部材５０が容易には緩まないようにできる。また、このようにナット部材５０がねじ軸６にねじ込まれた状態において、ナット部材５０の係合突条５６がガイド部材４０の係合爪４８に係合されることにより、ねじ軸６からの抜脱方向へのナット部材５０の移動を規制し、ナット部材５０の緩みをより一層防止することができる。
【００２７】
なお、本発明は上記した実施の形態に限られるものではなく、本発明の趣旨の範囲内で種々の変更が可能である。例えば、切り欠き６０は、その長さ、幅、形状、数は上記した構成に限定されるものではなく、ナット部材５０の撓み強度や、ねじ軸６への螺着の度合いなどを考慮して、変更することが可能であり、例えば、切り欠き６０の幅を大きくすれば、より容易に撓ませることもできる。また、切り欠きの数は一つでも良いが、周方向に均一に複数以上設けると、ナット部材５０全体として縮径が均一に行われるので、ねじ軸６への締め付けも均一に行うことができる。
【００２８】
また、テーパ部４９，５８の角度は、他の角度でも良く、特に４５〜７０度の角度とすると、ねじ軸６への螺着を強固にすることができ、かつ、螺着作業も確実に行うことができる。また、係合爪４８、係合突条５６は他の形状で互いに係合するものであっても良い。例えば、係合爪４８は開口部４６内の全周に渡って形成するだけでなく、いくつかの突片をガイド部材４０に設け、この突片に係合爪を形成するなどとしても良い。
【図面の簡単な説明】
【００２９】
【図１】本発明の給水栓の取付構造を用いて接続固定される給水栓の斜視図である。
【図２】給水栓の取付構造の側面視一部縦断面図である。
【図３】取付構造の側面視分解縦断面図である。
【図４】図３の取付構造のナットのＡ−Ａ’線横断面図である。
【符号の説明】
【００３０】
１；湯水混合水栓、２；水栓本体、３；吐水口、４；本体部、５；挿通部、６；ねじ軸、７；給水サプライ管、８；給湯サプライ管、９；給水ホース、１０；給湯ホース、３０；給水栓の取付構造、３２；座金、３４；凹部、３６；ねじ軸挿通孔、３７；当接縁部、３８，３９；腕部、４０；ガイド部材、４１；開口側部、４２；本体部、４３；段部、４４；挿嵌円筒部、４５；連通口、４６；開口部、４７；奥端側部、４８；係合爪、４９；雌型テーパ部、５０；ナット部材、５２；雌ねじ、５４；小径部、５６；係合突条、５８；雄型テーパ部、６０；切り欠き、Ｕ；カウンター、Ｗ；水栓取付孔。
【図１】
2006009395.tif 000003
【図２】
2006009395.tif 000004
【図３】
2006009395.tif 000005
【図４】
2006009395.tif 000006